(57)【特許請求の範囲】
【請求項１】
加入者線路に反転極性の直流電流を流すための切替回路を有する網終端装置において、
網終端装置の発信起動時に、Ｕ点インターフェースの同期確立から所定の時間の経過後に、前記切替回路を加入者線路Ｌ１−Ｌ２から切り離す手段と、
前記切替回路の切り離し後から所定の時間内に、加入者線路の電圧が正極性（Ｌ１＞Ｌ２）に変化した場合には、前記切替回路を加入者線路から切り離す動作を中止する手段と、
前記切替回路の切り離し後から所定の時間に渡り、加入者線路の電圧が反転極性（Ｌ１＜Ｌ２）に維持された場合には、それ以降、切替回路の加入者線路Ｌ１−Ｌ２からの切り離し動作を継続する手段と
を具備することを特徴とする網終端装置。
【請求項２】
加入者線路に印可される正極性の電圧を検出する正極性検出部と、反転極性の電圧を検出する反転極性検出部と、加入者線路に正極性の直流電流を流すための発信回路と、加入者線路に反転極性の直流電流を流すための切替回路を有する網終端装置において、
網終端装置の発信起動時に、Ｕ点インターフェースの同期確立から所定時間の経過後に、前記切替回路を加入者線路Ｌ１−Ｌ２から切り離す手段と、
前記切替回路の切り離し後から所定の時間内に、前記正極性検出部により正極性（Ｌ１＞Ｌ２）を検出した場合には、前記切替回路を加入者線路から切り離す動作を中止する手段と、
前記切替回路の切り離し後から所定の時間に渡り、前記反転極性検出部による反転極性（Ｌ１＜Ｌ２）の検出が継続した場合には、それ以降、前記切替回路の加入者線路Ｌ１−Ｌ２からの切り離し動作を継続する手段と
を具備することを特徴とする網終端装置。
【請求項３】
加入者線路に印可される正極性の電圧を検出する正極性検出部と、反転極性の電圧を検出する反転極性検出部と、加入者線路に正極性の直流電流を流すための発信回路と、加入者線路に反転極性の直流電流を流すための切替回路を有する網終端装置において、
初期状態でリセットされるタイマ回路及びフラグ回路と、
網終端装置の発信起動時に、前記反転極性検出部からの反転極性検出信号"１"を検出して前記タイマ回路の計時をスタートさせる第１の手段と、
前記第１の手段における前記タイマ回路の計時終了時に、Ｕ点インターフェースの同期確立信号"１"と、フラグ値"０"の条件が成立する場合には、前記切替回路を"ＯＦＦ"として加入者線路から切り離し、さらに前記タイマーの計時を再スタートし、フラグ値を"１"に設定する第２の手段と、
前記第２の手段により再スタートされたタイマ回路の計時終了時に、Ｕ点インターフェースの同期確立信号"１"とフラグ値"１"の条件が成立する場合には、切替回路の"ＯＦＦ"状態を継続し、さらにタイマを停止し、フラグ値を"０"に設定し、該状態で網終端装置が通信を行う第３の手段と、
前記第２の手段より再スタートされたタイマ回路の計時開始から終了までの間に、正極性検出信号"１"が検出された場合には、切替回路の"ＯＦＦ"動作を中断し、タイマを停止させる第４の手段と
を具備することを特徴とする網終端装置。
【請求項４】
加入者線路に反転極性の直流電流を流すための切替回路を有する網終端装置における消費電力削減方法であって、
網終端装置の発信起動時に、Ｕ点インターフェースの同期確立から所定の時間の経過後に、前記切替回路を加入者線路Ｌ１−Ｌ２から切り離す手順と、
前記切替回路の切り離し後から所定の時間内に、加入者線路の電圧が正極性（Ｌ１＞Ｌ２）に変化した場合には、前記切替回路を加入者線路から切り離す動作を中止する手順と、
前記切替回路の切り離し後から所定の時間に渡り、加入者線路の電圧が反転極性（Ｌ１＜Ｌ２）に維持された場合には、それ以降、切替回路の加入者線路Ｌ１−Ｌ２からの切り離し動作を継続する手順と
を含むことを特徴とする網終端装置における消費電力削減方法。
【請求項５】
加入者線路に印可される正極性の電圧を検出する正極性検出部と、反転極性の電圧を検出する反転極性検出部と、加入者線路に正極性電流を流すための発信回路と、加入者線路に反転極性の直流電流を流すための切替回路を有する網終端装置における消費電力削減方法であって、
網終端装置の発信起動時に、Ｕ点インターフェースの同期確立から所定時間の経過後に、前記切替回路を加入者線路Ｌ１−Ｌ２から切り離す手順と、
前記切替回路の切り離し後から所定の時間内に、前記正極性検出部により正極性（Ｌ１＞Ｌ２）を検出した場合には、前記切替回路を加入者線路から切り離す動作を中止する手順と、
前記切替回路の切り離し後から所定の時間に渡り、前記反転極性検出部による反転極性（Ｌ１＜Ｌ２）の検出が継続した場合には、それ以降、前記切替回路の加入者線路Ｌ１−Ｌ２からの切り離し動作を継続する手順と
を含むことを特徴とする網終端装置における消費電力削減方法。
【請求項６】
加入者線路に印可される正極性の電圧を検出する正極性検出部と、反転極性の電圧を検出する反転極性検出部と、加入者線路に正極性の直流電流を流すための発信回路と、加入者線路に反転極性の直流電流を流すための切替回路を有する網終端装置における消費電力削減方法であって、
タイマ回路及びフラグ回路を初期状態でリセットする手順と、
網終端装置の発信起動時に、前記反転極性検出部からの反転極性検出信号"１"を検出して前記タイマ回路の計時をスタートさせる第１の手順と、
前記第１の手順における前記タイマ回路の計時終了時に、Ｕ点インターフェースの同期確立信号"１"と、フラグ値"０"の条件が成立する場合には、前記切替回路を"ＯＦＦ"として加入者線路から切り離し、さらに前記タイマーの計時を再スタートし、フラグ値を"１"に設定する第２の手順と、
前記第２の手順により再スタートされたタイマ回路の計時終了時に、Ｕ点インターフェースの同期確立信号"１"とフラグ値"１"の条件が成立する場合には、切替回路の"ＯＦＦ"状態を継続し、さらにタイマを停止し、フラグ値を"０"に設定し、該状態で網終端装置が通信を行う第３の手順と、
前記第２の手順より再スタートされたタイマ回路の計時開始から終了までの間に、正極性検出信号"１"が検出された場合には、切替回路の"ＯＦＦ"動作を中断し、タイマを停止させる第４の手順と
を含むことを特徴とする網終端装置における消費電力削減方法。
【請求項７】
加入者線路に反転極性の直流電流を流すための切替回路を有する網終端装置内のコンピュータに、
網終端装置の発信起動時に、Ｕ点インターフェースの同期確立から所定の時間の経過後に、前記切替回路を加入者線路Ｌ１−Ｌ２から切り離す手順と、
前記切替回路の切り離し後から所定の時間内に、加入者線路の電圧が正極性（Ｌ１＞Ｌ２）に変化した場合には、前記切替回路を加入者線路から切り離す動作を中止する手順と、
前記切替回路の切り離し後から所定の時間に渡り、加入者線路の電圧が反転極性（Ｌ１＜Ｌ２）に維持された場合には、それ以降、切替回路の加入者線路Ｌ１−Ｌ２からの切り離し動作を継続する手順と
を実行させるためのプログラムを記録したコンピュータ読み取り可能な記録媒体。
【請求項８】
加入者線路に反転極性の直流電流を流すための切替回路を有する網終端装置内のコンピュータに、
網終端装置の発信起動時に、Ｕ点インターフェースの同期確立から所定の時間の経過後に、前記切替回路を加入者線路Ｌ１−Ｌ２から切り離す手順と、
前記切替回路の切り離し後から所定の時間内に、加入者線路の電圧が正極性（Ｌ１＞Ｌ２）に変化した場合には、前記切替回路を加入者線路から切り離す動作を中止する手順と、
前記切替回路の切り離し後から所定の時間に渡り、加入者線路の電圧が反転極性（Ｌ１＜Ｌ２）に維持された場合には、それ以降、切替回路の加入者線路Ｌ１−Ｌ２からの切り離し動作を継続する手順と
を実行させるためのプログラム。
【請求項９】
加入者線路に印可される正極性の電圧を検出する正極性検出部と、反転極性の電圧を検出する反転極性検出部と、加入者線路に正極性電流を流すための発信回路と、加入者線路に反転極性の直流電流を流すための切替回路を有する網終端装置内のコンピュータに、
網終端装置の発信起動時に、Ｕ点インターフェースの同期確立から所定時間の経過後に、前記切替回路を加入者線路Ｌ１−Ｌ２から切り離す手順と、
前記切替回路の切り離し後から所定の時間内に、前記正極性検出部により正極性（Ｌ１＞Ｌ２）を検出した場合には、前記切替回路を加入者線路から切り離す動作を中止する手順と、
前記切替回路の切り離し後から所定の時間に渡り、前記反転極性検出部による反転極性（Ｌ１＜Ｌ２）の検出が継続した場合には、それ以降、前記切替回路の加入者線路Ｌ１−Ｌ２からの切り離し動作を継続する手順と
を実行させるためのプログラムを記録したコンピュータ読み取り可能な記録媒体。
【請求項１０】
加入者線路に印可される正極性の電圧を検出する正極性検出部と、反転極性の電圧を検出する反転極性検出部と、加入者線路に正極性電流を流すための発信回路と、加入者線路に反転極性の直流電流を流すための切替回路を有する網終端装置内のコンピュータに、
網終端装置の発信起動時に、Ｕ点インターフェースの同期確立から所定時間の経過後に、前記切替回路を加入者線路Ｌ１−Ｌ２から切り離す手順と、
前記切替回路の切り離し後から所定の時間内に、前記正極性検出部により正極性（Ｌ１＞Ｌ２）を検出した場合には、前記切替回路を加入者線路から切り離す動作を中止する手順と、
前記切替回路の切り離し後から所定の時間に渡り、前記反転極性検出部による反転極性（Ｌ１＜Ｌ２）の検出が継続した場合には、それ以降、前記切替回路の加入者線路Ｌ１−Ｌ２からの切り離し動作を継続する手順と
を実行させるためのプログラム。
【発明の詳細な説明】
【０００１】
【発明の属する技術分野】
本発明は、網終端装置、網終端装置における消費電力削減方法、記録媒体及びプログラムに関するものである。
【０００２】
【従来の技術】
ＩＳＤＮディジタル通信方式における加入者線路信号方式「ＴＴＣ標準  ＪＴ−Ｇ９６１」では、加入者線の直流電流の有無及びその極性により発信要求及び切断要求を行っている。また、前記標準には電力削減を目的として、以下に示す機能を有する網終端装置が定義されている。この網終端装置を以下、網終端装置Ｌと呼ぶ。
【０００３】
図１５は、従来技術の網終端装置Ｌのブロック構成図である。図１５において、網終端装置Ｌ１００はＮＴ機能部１０１、発信回路１０２、正極性検出部１０３、制御部１０６、反転極性検出部１０４、切替回路１０５により構成され、それぞれ以下の機能を有している。
・ＮＴ機能部１０１は前記ＴＴＣ標準に規定されるパルスを認識し、回路終端装置との通信を行う機能を有する。
・発信回路１０２は直流終端抵抗器Ｒ１、ダイオードＤ１、発信ＳＷで構成される。なお、発信ＳＷは「発信信号"ＯＮ"」で「発信ＳＷ"ＯＮ"」、「発信信号"ＯＦＦ"」で「発信ＳＷ"ＯＦＦ"」とする。
・また、正極性検出部１０３の直流入力抵抗値は高抵抗（ハイ・インピーダンス）とする。また、反転極性検出部１０４の直流入力抵抗値も高抵抗（ハイ・インピーダンス）とする。
・切替回路１０５は、直流終端抵抗器ＲＤ１、ダイオードＤ２、切替ＳＷで構成される。切替ＳＷは「切替信号"ＯＮ"」で「切替スイッチ"ＯＮ"」、「発信信号"ＯＦＦ"」で「切替スイッチ"ＯＦＦ"」とする。
【０００４】
また、図１６は、ＩＳＤＮディジタル通信方式のシステム構成を示す図である。図１６において、システムは局ビル側から下り方向にノードシステム１１１、回線終端装置１１３、加入者線路１１４、網終端装置Ｌ１００の順に接続される。また、ノードシステム１１１と回線終端装置１１３は、Ｖ点インターフェース１１２により接続される。回線終端装置１１３と網終端装置Ｌ１００は加入者線路１１４を介して、前記ＴＴＣ標準で規定されるＵ点インターフェース１１５により接続されている。
【０００５】
また、前記ノードシステム１１１は大きく分けて２種類存在する。ここではこれらをそれぞれ「ノードシステムＡ」、「ノードシステムＢ」とする。「ノードシステムＢ」は「ノードシステムＡ」の後継機種であり、現在のネットワークには「ノードシステムＡ」、「ノードシステムＢ」とも使用されている。以下、本文書中で単にノードシステムと呼ぶ場合は「ノードシステムＡ」と「ノードシステムＢ」の両方を指すものとする。なお、「ノードシステムＡ」と「ノードシステムＢ」の違いについては、以降の説明の中で示される。
【０００６】
次に、網終端装置Ｌ１００の状態遷移について説明する。
図１７は、従来技術の網終端装置Ｌ１００における状態遷移を示す図であり、図中の四角枠が綱終端装置Ｌ１００内の各部の状態を表し、四角枠内の左上の数値（１−１〜１−３、及び２−１）は網終端装置Ｌ１００の遷移状態を表す番号である。網終端装置Ｌ１００の「状態１−１」は電源投入時のパワーオンリセット後の状態を示しており、「発信信号"ＯＦＦ"」、「切替信号"ＯＦＦ"」、「ＮＴ機能部"停止"」の他、「正極性検出信号"ＯＦＦ"」、「反転極性検出信号"ＯＦＦ"」となる。
【０００７】
［着信起動時の動作説明］
以上の如き網終端装置Ｌ１００の構成の基に、網終端装置Ｌ１００における「着信起動による（Ｕ点レイヤ１起動手順」について説明する。
【０００８】
（１）図１８は、網終端装置Ｌ１００の着信起動動作を説明するための図であり、網終端装置Ｌ１００の着信起動時の、Ｖ点信号ＦＥ１、ＦＥ２、ＦＥ３の状態、加入者線路１１４の極性及び電流値（Ｉ２）、網終端装置Ｌ１００の正極性検出信号、反転極性検出信号、発信信号、切替信号の各状態を示している。また、図１７中の状態番号は、図１７に示した網終端装置Ｌ１００の遷移状態を示している。
【０００９】
（２）着信起動時は、ノードシステム１１１より回線終端装置１１３に対して着信起動要求信号であるＶ点インタフェース信号ＦＥ１が送信される。回線終端装置１１３はＦＥ１（着信起動要求）を受信すると、加入者線極性を正極性（Ｌ１＞Ｌ２）から反転極性（Ｌ１＜Ｌ２）にする。このとき網終端装置Ｌ１００の制御部１０６は「反転極性検出信号"ＯＮ"」を認識し、網終端装置Ｌ１００を「状態１−１」から「状態２−１」に遷移させる（時刻ｔ１）。「状態２−１」にてＮＴ機能部１０１が起動する。制御部１０６は「発信信号"ＯＦＦ"」なので発信起動ではないと判断し、「切替信号"ＯＦＦ"」を維持する。このとき反転極性検出部１０４の直流入力抵抗値は高抵抗（ハイ・インピーダンス）なので加入者線Ｌ１−Ｌ２にはほとんど電流が流れない。
【００１０】
（３）また、回線終端装置１１３はノードシステム１１１から着信起動要求信号ＦＥ１を受信している場合、回線終端装置１１３は、反転極性（Ｌ１＜Ｌ２）を維持するので、着信起動によるＵ点レイヤ１起動手順は加入者線Ｌ１−Ｌ２間に電流が流れないまま進行する。
【００１１】
（４）Ｕ点レイヤ１起動が完了すると、回線終端装置１１３はノードシステム１１１にそれを示すＶ点インタフェース信号ＦＥ３（（Ｕ点レイヤ１起動完了信号）を送信する（時刻ｔ２）。Ｕ点レイヤ１起動後も網終端装置Ｌ１００の「状態２−１」は維持されているので加入者線Ｌ１−Ｌ２間に電流は流れない。
【００１２】
（５）次に"停止"について説明する。停止時はノードシステム１１１より停止要求信号であるＶ点インタフェース信号ＦＥ５（図示せず）が回線終端装置１１３に送信される。回線終端装置１１３はＦＥ５（停止要求信号）を受信すると、加入者線極性を反転極性（Ｌ１＜Ｌ２）から正極性（Ｌ１＞Ｌ２）にする。このとき網終端装置Ｌ１００の制御部は「正極性検出信号"ＯＮ"」を認識し網終端装置Ｌ１００を「状態２−１」から「状態１−１」に遷移させ"停止状態"となる（時刻ｔ３）。
【００１３】
［発信起動時の動作説明］
次に、「発信起動手順」について説明する。図１９は、従来技術の網終端装置ＬのノードシステムＡ系での発信起動時の動作を示す図であり、図１５に示す網終端装置Ｌ１００のノードシステムＡにおける発信起動動作について説明するための図である。図１９において、ノードシステムＡの系における、網終端装置Ｌ１００、発信起動時のＶ点信号ＦＥ１（着信起動要求）、ＦＥ２（発信起動要求）、ＦＥ３（（Ｕ点レイヤ１起動完了信号）（起動完了信号）の状態、加入者線路１１４の極性及び電流値、網終端装置Ｌ１００の正極性検出信号、反転極性検出信号、発信信号、切替信号の各状態を示す。なお、図１９中の状態番号は、図１７に示した網終端装置Ｌ１００の遷移状態を表す。
また、図２０は、従来技術の網終端装置ＬのノードシステムＢ系での発信起動時の動作を示す図であり、図１５に示す網終端装置Ｌ１００のノードシステムＢにおける発信起動動作について説明するための図である。 図２０において、ノードシステムＢの系における、網終端装置Ｌ１００、発信起動時のＶ点信号ＦＥ１（着信起動要求信号）、ＦＥ２（発信起動要求信号）、ＦＥ３（（Ｕ点レイヤ１起動完了信号）の状態、加入者線路１１４の極性及び電流値、網終端装置Ｌ１００の正極性検出信号、反転極性検出信号、発信信号、切替信号の各状態を示す。なお、図２０中の状態番号（１−１〜１−５）は図１７に示した網終端装置Ｌ１００の遷移状態を表す。
以下、網終端装置Ｌ１００の発信起動動作について、図１９及び図２０を基に説明する。
【００１４】
（１）発信起動時、制御部１０６は「発信信号"ＯＮ"」とし、網終端装置Ｌ１００を「状態１−１」から「状態１−２」に遷移させる（時刻ｔ１）。このとき加入者線Ｌ１−Ｌ２に抵抗Ｒ１を通じて電流Ｉ２が流れる。
【００１５】
（２）回線終端装置１１３は電流Ｉ２を検出し、加入者線極性を正極性（Ｌ１＞Ｌ２）から反転極性（Ｌ１＜Ｌ２）にする。また回線終端装置１１３は電流Ｉ２を検出すると、ノードシステム１１１に、Ｖ点インタフェース信号ＦＥ２（発信起動要求信号）を送信する。
【００１６】
（３）加入者線極性が反転極性（Ｌ１＜Ｌ２）となると、網終端装置Ｌ１００の制御部１０６は「反転極性検出信号"ＯＮ"」を認識し、網終端装置Ｌ１００を「状態１−２」から「状態１−３」に遷移させる（時刻ｔ２）。このとき加入者線路Ｌ１−Ｌ２には抵抗ＲＤ１を通じて電流Ｉ２が流れる。また、「状態１−３」に遷移すると網終端装置Ｌ１００のＮＴ機能部１０１が起動する。
【００１７】
（４）回線終端装置１１３は電流Ｉ２を検出し、「Ｖ点インタフェース信号ＦＥ２」のノードシステム１１１ヘの送信を継続する。回線終端装置１１３は電流Ｉ２が検出されている場合は、反転極性（Ｌ１＜Ｌ２）を維持するので、発信起動によるＵ点レイヤ１起動手順が進行する。
【００１８】
（５）Ｕ点レイヤ１起動が完了すると、回線終端装置１１３はノードシステム１１１にそれを示す「Ｖ点インタフェース信号ＦＥ３（（Ｕ点レイヤ１起動完了信号）」を送信する（時刻ｔ３）。このとき網終端装置Ｌ１００は「状態１−３」のままなので、加入者線路Ｌ１−Ｌ２には反転極性電流Ｉ２が流れている。
【００１９】
（６）次に停止時の動作について説明する。停止時はノードシステム１１１より「停止要求信号」であるＶ点インタフェ−ス信号ＦＥ５が回線終端装置１１３に送信される。回線終端装置１１３はＦＥ５（停止要求信号）を受信すると、加入者線極性を反転極性（Ｌ１＜Ｌ２）から正極性（Ｌ１＞Ｌ２）にする。このとき網終端装置Ｌ１００の制御部は「正極性検出信号"ＯＮ"」を認識し、網終端装置Ｌ１００を「状態１−３」から「状態１−１」に遷移させ"停止状態"となる（時刻ｔ４）。
【００２０】
なお、発信起動時のノードシステム１１１の動作はノードシステムＡ／ノードシステムＢによって異なり、図１９、図２０に示す例の動作の違いは「ＦＥ１（着信起動要求信号）」の部分である。図２０に示すように、ノードシステムＢでは、ＦＥ２（発信起動要求信号）及びＦＥ３（（Ｕ点レイヤ１起動完了信号）を受信すると、回線終端装置１１３にＦＥ１（着信起動要求）を送信する（時刻ｔ３）。
これはノードシステムＢの系では、回線終端装置１１３は発信起動の場合でも、（Ｕ点レイヤ１起動後はＦＥ１（着信起動要求）を受信しているので、電流Ｉ２の検出結果が"ＯＦＦ"となっても、反転極性（Ｌ１＜Ｌ２）を維持するので、レイヤ１起動を維持することができることを意味する。
【００２１】
しかし、発信起動時に網終端装置Ｌ１００はノードシステムＡ／Ｂの識別または回線終端装置１１３でのＦＥ１（着信起動要求）の受信の有無を確認することができないので、レイヤ１起動の確保のため、制御部は「切替信号"ＯＮ"」を維持し、直流終端抵抗ＲＤ１の接続を保持せざるを得ない。従って、発信起動の場合は、レイヤ１起動後も加入者線Ｌ１−Ｌ２に反転極性（Ｌ１＜Ｌ２）で電流Ｉ２が流れ続ける。
【００２２】
従って、網終端装置Ｌ１００により、加入者線の直流電流が網終端装置Ｌ１００を動作させる電力として使用されていない場合は、着信起動時は加入者線に電流が流れないようにすることが可能となり電力の削減が可能となる。また、発信起動時は、網終端装置Ｌ１００は回線終端装置１１３より定電流給電Ｉ２を受けるが、抵抗ＲＤ１の抵抗値を大きくすることにより、網終端装置Ｌ１００での消費電力の削減をある程度は図ることができる。
【００２３】
【発明が解決しようとする課題】
「ＴＴＣ標準  ＪＴ−Ｇ９６１」の方式では前記網終端装置Ｌ１００を使用すれば、加入者線の直流電流を網終端装置を動作させる電力として使用しない場合は、着信起動の場合は加入者線路１１４に直流電流が流れないようにするため電力の削減が可能となる。しかし、発信起動の場合は、網終端装置Ｌ１００は回線終端装置１１３に加入者線に直流電流を流し続ける必要があるため、着信起動時と同等の電力削減効果を得ることはできなかった。
【００２４】
本発明は、上記課題に鑑みてなされたものであり、網終端装置Ｌ１００にてノードシステムの種別Ａ／Ｂを識別し、ノードシステムＢが接続されていると確認された場合には、発信起動時にその消費電力を削減することが可能な網終端装置、網終端装置における消費電力削減方法、記録媒体及びプログラムを提供することを目的とする。
【００２５】
【課題を解決するための手段】
この発明は、上述した課題を解決すべくなされたものであり、本発明の網終端装置においては、加入者線路に反転極性の直流電流を流すための切替回路を有する網終端装置において、網終端装置の発信起動時に、Ｕ点インターフェースの同期確立から所定の時間の経過後に、前記切替回路を加入者線路Ｌ１−Ｌ２から切り離す手段と、前記切替回路の切り離し後から所定の時間内に、加入者線路の電圧が正極性（Ｌ１＞Ｌ２）に変化した場合には、前記切替回路を加入者線路から切り離す動作を中止する手段と、前記切替回路の切り離し後から所定の時間に渡り、加入者線路の電圧が反転極性（Ｌ１＜Ｌ２）に維持された場合には、それ以降、切替回路の加入者線路Ｌ１−Ｌ２からの切り離し動作を継続する手段とを具備することを特徴とする。
【００２６】
本発明の網終端装置の構成においては、網終端装置において接続されるノードシステムの種別Ａ／Ｂを識別し、ノードシステムＢが接続されていると確認された場合は、発信起動によるレイヤ１起動後、切替回路内の抵抗器を切り離し、着信起動時と同等の消費電力削減効果を得るものである。そのために、網終端装置の発信起動時に、Ｕ点インターフェースの同期が確立した後のある一定時間経過後に、反転極性の電流を流す切替回路内の抵抗器を加入者線路Ｌ１−Ｌ２から切り離し、抵抗器を切り離し後のある一定時間内に加入者線路の電圧が正極性（Ｌ１＞Ｌ２）であることを検出した場合には、ノードシステムＡと判断し、その後の発信動作においては抵抗器を加入者線路Ｌ１−Ｌ２から切り離す動作は実施しない。また、抵抗器の切り離し後も、加入者線路の電圧について反転極性（Ｌ１＜Ｌ２）が維持された場合には、ノードシステムＢと判断し、切替回路内の抵抗器の加入者線路Ｌ１−Ｌ２からの切り離しを継続する。
これにより、網終端装置において、発信起動時にノードシステムＢに接続する場合には、着信起動時と同等の消費電力削減効果を得ることができる。
【００２７】
また、本発明の網終端装置においては、加入者線路に印可される正極性の電圧を検出する正極性検出部と、反転極性の電圧を検出する反転極性検出部と、加入者線路に正極性の直流電流を流すための発信回路と、加入者線路に反転極性の直流電流を流すための切替回路を有する網終端装置において、網終端装置の発信起動時に、Ｕ点インターフェースの同期確立から所定時間の経過後に、前記切替回路を加入者線路Ｌ１−Ｌ２から切り離す手段と、前記切替回路の切り離し後から所定の時間内に、前記正極性検出部により正極性（Ｌ１＞Ｌ２）を検出した場合には、前記切替回路を加入者線路から切り離す動作を中止する手段と、前記切替回路の切り離し後から所定の時間に渡り、前記反転極性検出部による反転極性（Ｌ１＜Ｌ２）の検出が継続した場合には、それ以降、前記切替回路の加入者線路Ｌ１−Ｌ２からの切り離し動作を継続する手段とを具備することを特徴とする。これにより、網終端装置において、発信起動時にノードシステムＢに接続する場合には、着信起動時と同等の消費電力削減効果を得ることができる。
【００２８】
また、本発明の網終端装置においては、加入者線路に印可される正極性の電圧を検出する正極性検出部と、反転極性の電圧を検出する反転極性検出部と、加入者線路に正極性の直流電流を流すための発信回路と、加入者線路に反転極性の直流電流を流すための切替回路を有する網終端装置において、初期状態でリセットされるタイマ回路及びフラグ回路と、網終端装置の発信起動時に、前記反転極性検出部からの反転極性検出信号"１"を検出して前記タイマ回路の計時をスタートさせる第１の手段と、前記第１の手段における前記タイマ回路の計時終了時に、Ｕ点インターフェースの同期確立信号"１"と、フラグ値"０"の条件が成立する場合には、前記切替回路を"ＯＦＦ"として加入者線路から切り離し、さらに前記タイマーの計時を再スタートし、フラグ値を"１"に設定する第２の手段と、前記第２の手段により再スタートされたタイマ回路の計時終了時に、Ｕ点インターフェースの同期確立信号"１"とフラグ値"１"の条件が成立する場合には、切替回路の"ＯＦＦ"状態を継続し、さらにタイマを停止し、フラグ値を"０"に設定し、該状態で網終端装置が通信を行う第３の手段と、前記第２の手段より再スタートされたタイマ回路の計時開始から終了までの間に、正極性検出信号"１"が検出された場合には、切替回路の"ＯＦＦ"動作を中断し、タイマを停止させる第４の手段とを具備することを特徴とする。
これにより、網終端装置において、発信起動時にノードシステムＢに接続する場合には、着信起動時と同等の消費電力削減効果を得ることができる。
【００２９】
また、本発明の網終端装置における消費電力削減方法においては、加入者線路に反転極性の直流電流を流すための切替回路を有する網終端装置における消費電力削減方法であって、網終端装置の発信起動時に、Ｕ点インターフェースの同期確立から所定の時間の経過後に、前記切替回路を加入者線路Ｌ１−Ｌ２から切り離す手順と、前記切替回路の切り離し後から所定の時間内に、加入者線路の電圧が正極性（Ｌ１＞Ｌ２）に変化した場合には、前記切替回路を加入者線路から切り離す動作を中止する手順と、前記切替回路の切り離し後から所定の時間に渡り、加入者線路の電圧が反転極性（Ｌ１＜Ｌ２）に維持された場合には、それ以降、切替回路の加入者線路Ｌ１−Ｌ２からの切り離し動作を継続する手順とを含むことを特徴とする。
これにより、網終端装置において、発信起動時にノードシステムＢに接続する場合には、着信起動時と同等の消費電力削減効果を得ることができる。
【００３０】
また、本発明の網終端装置における消費電力削減方法においては、加入者線路に印可される正極性の電圧を検出する正極性検出部と、反転極性の電圧を検出する反転極性検出部と、加入者線路に正極性電流を流すための発信回路と、加入者線路に反転極性の直流電流を流すための切替回路を有する網終端装置における消費電力削減方法であって、終端装置の発信起動時に、Ｕ点インターフェースの同期確立から所定時間の経過後に、前記切替回路を加入者線路Ｌ１−Ｌ２から切り離す手順と、前記切替回路の切り離し後から所定の時間内に、前記正極性検出部により正極性（Ｌ１＞Ｌ２）を検出した場合には、前記切替回路を加入者線路から切り離す動作を中止する手順と、前記切替回路の切り離し後から所定の時間に渡り、前記反転極性検出部による反転極性（Ｌ１＜Ｌ２）の検出が継続した場合には、それ以降、前記切替回路の加入者線路Ｌ１−Ｌ２からの切り離し動作を継続する手順とを含むことを特徴とする。
これにより、網終端装置において、発信起動時にノードシステムＢに接続する場合には、着信起動時と同等の消費電力削減効果を得ることができる。
【００３１】
また、本発明の網終端装置における消費電力削減方法においては、加入者線路に印可される正極性の電圧を検出する正極性検出部と、反転極性の電圧を検出する反転極性検出部と、加入者線路に正極性の直流電流を流すための発信回路と、加入者線路に反転極性の直流電流を流すための切替回路を有する網終端装置における消費電力削減方法であって、タイマ回路及びフラグ回路を初期状態でリセットする手順と、網終端装置の発信起動時に、前記反転極性検出部からの反転極性検出信号"１"を検出して前記タイマ回路の計時をスタートさせる第１の手順と、前記第１の手順における前記タイマ回路の計時終了時に、Ｕ点インターフェースの同期確立信号"１"と、フラグ値"０"の条件が成立する場合には、前記切替回路を"ＯＦＦ"として加入者線路から切り離し、さらに前記タイマーの計時を再スタートし、フラグ値を"１"に設定する第２の手順と、前記第２の手順により再スタートされたタイマ回路の計時終了時に、Ｕ点インターフェースの同期確立信号"１"とフラグ値"１"の条件が成立する場合には、切替回路の"ＯＦＦ"状態を継続し、さらにタイマを停止し、フラグ値を"０"に設定し、該状態で網終端装置が通信を行う第３の手順と、前記第２の手順より再スタートされたタイマ回路の計時開始から終了までの間に、正極性検出信号"１"が検出された場合には、切替回路の"ＯＦＦ"動作を中断し、タイマを停止させる第４の手順とを含むことを特徴とする。
これにより、網終端装置において、発信起動時にノードシステムＢに接続する場合には、着信起動時と同等の消費電力削減効果を得ることができる。
【００３２】
また、本発明のコンピュータ読み取り可能な記録媒体は、加入者線路に反転極性の直流電流を流すための切替回路を有する網終端装置内のコンピュータに、網終端装置の発信起動時に、Ｕ点インターフェースの同期確立から所定の時間の経過後に、前記切替回路を加入者線路Ｌ１−Ｌ２から切り離す手順と、前記切替回路の切り離し後から所定の時間内に、加入者線路の電圧が正極性（Ｌ１＞Ｌ２）に変化した場合には、前記切替回路を加入者線路から切り離す動作を中止する手順と、前記切替回路の切り離し後から所定の時間に渡り、加入者線路の電圧が反転極性（Ｌ１＜Ｌ２）に維持された場合には、それ以降、切替回路の加入者線路Ｌ１−Ｌ２からの切り離し動作を継続する手順とを実行させるためのプログラムを記録したコンピュータ読み取り可能な記録媒体である。
【００３３】
また、本発明のコンピュータプログラムは、加入者線路に反転極性の直流電流を流すための切替回路を有する網終端装置内のコンピュータに、網終端装置の発信起動時に、Ｕ点インターフェースの同期確立から所定の時間の経過後に、前記切替回路を加入者線路Ｌ１−Ｌ２から切り離す手順と、前記切替回路の切り離し後から所定の時間内に、加入者線路の電圧が正極性（Ｌ１＞Ｌ２）に変化した場合には、前記切替回路を加入者線路から切り離す動作を中止する手順と、前記切替回路の切り離し後から所定の時間に渡り、加入者線路の電圧が反転極性（Ｌ１＜Ｌ２）に維持された場合には、それ以降、切替回路の加入者線路Ｌ１−Ｌ２からの切り離し動作を継続する手順と実行させるためのプログラムである。
【００３４】
また、本発明のコンピュータ読み取り可能な記録媒体は、加入者線路に印可される正極性の電圧を検出する正極性検出部と、反転極性の電圧を検出する反転極性検出部と、加入者線路に正極性電流を流すための発信回路と、加入者線路に反転極性の直流電流を流すための切替回路を有する網終端装置内のコンピュータに、網終端装置の発信起動時に、Ｕ点インターフェースの同期確立から所定時間の経過後に、前記切替回路を加入者線路Ｌ１−Ｌ２から切り離す手順と、前記切替回路の切り離し後から所定の時間内に、前記正極性検出部により正極性（Ｌ１＞Ｌ２）を検出した場合には、前記切替回路を加入者線路から切り離す動作を中止する手順と、前記切替回路の切り離し後から所定の時間に渡り、前記反転極性検出部による反転極性（Ｌ１＜Ｌ２）の検出が継続した場合には、それ以降、前記切替回路の加入者線路Ｌ１−Ｌ２からの切り離し動作を継続する手順とを実行させるためのプログラムを記録したコンピュータ読み取り可能な記録媒体である。
【００３５】
また、本発明のコンピュータプログラムは、加入者線路に印可される正極性の電圧を検出する正極性検出部と、反転極性の電圧を検出する反転極性検出部と、加入者線路に正極性電流を流すための発信回路と、加入者線路に反転極性の直流電流を流すための切替回路を有する網終端装置内のコンピュータに、網終端装置の発信起動時に、Ｕ点インターフェースの同期確立から所定時間の経過後に、前記切替回路を加入者線路Ｌ１−Ｌ２から切り離す手順と、前記切替回路の切り離し後から所定の時間内に、前記正極性検出部により正極性（Ｌ１＞Ｌ２）を検出した場合には、前記切替回路を加入者線路から切り離す動作を中止する手順と、前記切替回路の切り離し後から所定の時間に渡り、前記反転極性検出部による反転極性（Ｌ１＜Ｌ２）の検出が継続した場合には、それ以降、前記切替回路の加入者線路Ｌ１−Ｌ２からの切り離し動作を継続する手順とを実行させるためのプログラムである。
【００３６】
【発明の実施の形態】
以下、本発明の実施の形態を図示例と共に説明する。
【００３７】
［第１の実施の形態］
図１は、本発明の第１の実施におけるＩＳＤＮディジタル通信方式のシステム構成を示す図であり、システムは局ビル側から下り方向にノードシステム３１、回線終端装置３３、加入者線路３４、網終端装置１０の順に接続される。また、ノードシステム３１と回線終端装置３３は、Ｖ点インターフェース３２により接続される。回線終端装置３３と網終端装置１０は加入者線路３４を介して、前記ＴＴＣ標準で規定されるＵ点インターフェース３５により接続されている。
【００３８】
なお、前述した如く、ノードシステム３１には、「ノードシステムＡ」と「ノードシステムＢ」の２種類が存在する。以下、ノードシステムと呼ぶ場合は「ノードシステムＡ」と「ノードシステムＢ」の両方を指すものとする。
【００３９】
また、図２は、第１の実施の形態における網終端装置のブロック構成を示す図であり、図２に示す網終端装置において、ＮＴ機能部１１、発信回路１２、制御部１３、正極性検出部１４、反転極性検出部１５、切替回路１６、フラグ回路１７、タイマＴ１回路１８により構成される。
【００４０】
また、図３は、第１の実施の形態におけるタイマＴ１回路の内部構成例を示す図であり、タイマＴ１回路１８の内部回路構成例を示す。
・タイマＴ１回路１８のスタート条件（セット条件）は、
「（フラグ値＝"０"）×（切替信号"ＯＮ"）×
×（反転極性検出信号"ＯＦＦ"→"ＯＮ"立ち上がりエッジ検    出）」
または、
「フラグ値の"０"→"１"立ち上がりエッジ検出」
である。
・タイマＴ１回路１８のストップ条件（リセット条件）は、
「パワーオンリセット」
または、
「（フラグ値＝"１"）×（正極性検出信号"ＯＮ"）」
または、
【００４１】
「（フラグ値＝"０"）×
（計時カウンタ満了（３００ｍｓ程度）立ち上がりエッジ検出）」である。
・タイマＴ１は「タイマ内計時カウンタ満了立ち上がりエッジ検出パルス」を
「タイマＴ１停止」の信号として出力する（５０ｍｓ程度）。
【００４２】
また、図４は、第１の実施の形態におけるフラグ回路の内部構成例を示す図であり、網終端装置１０内のフラグ回路１７の内部構成例を示している。
・フラグ回路１７のフラグ値セット条件（"０"→"１"条件）は、
「（切替信号"ＯＦＦ"）×（ＤＦＳ＝"１"）×（タイマＴ１"停止"）」
である。
・フラグ回路１７のフラグ値リセット条件（"１"→"０"の条件）は、
「パワーオンリセット」
または、
「（ＤＦＳ＝"１"）×（タイマＴ１"停止"）」
または、
「（正極性検出信号"ＯＦＦ"）×（反転極性検出信号"ＯＦＦ"）」
である。
【００４３】
なお、図３中の立ち上がりエッジ検出部は微分回路であり「論理"０"→"１"」のステート変化を「"０"→"１"（５０ｍｓ程度）→"０"」のパルス的な論理に変換する。
【００４４】
また、図２において、
・ＮＴ機能部１１は、ＴＴＣ標準に規定されるパルスを認識し、回線終端装置３３との通信を行う機能を有する。ＮＴ機能部１１は下り方向（回線終端装置３３→網終端装置２０方向）の同期状態を示す「同期状態信号ＤＦＳ＝"１"」を出力する。
・また、ＮＴ機能部１１は、「同期状態信号ＤＦＳ」により制御部１３及びフラグ回路１７に接続される。
・発信回路１２は直流終端抵抗器Ｒ１、ダイオードＤ１、発信ＳＷで構成される。発信ＳＷは「発信信号"ＯＮ"で"ＯＮ"」、「発信信号"ＯＦＦ"で"ＯＦＦ"とする。
・また、正極性検出部１４の直流入力抵抗値を高抵抗（ハイ・インピーダンス）とし、反転極性検出部１５の直流入力抵抗値を高抵抗（ハイ・インピーダンス）とする。
・切替回路１６は直流終端抵抗器ＲＤ１、ダイオードＤ２、切替ＳＷにより構成される。切替ＳＷは「切替信号"ＯＮ"で"ＯＮ"」、「切替信号"ＯＦＦ"で"ＯＦＦ"」とする。
・タイマＴ１回路１８は制御部１３、フラグ回路１７、正極性検出部１４及び反転極性検出部１５に接続される。
・フラグ回路１７は制御部１３、タイマＴ１回路１８、正極性検出部１４及び反転極性検出部１５に接続される。
【００４５】
また、図５は、第１の実施の形態における網終端装置の状態遷移を示す図である。図５中の四角枠が網終端装置１０内各部の遷移状態を表し、四角枠左上の数値（１−１〜１−５、２−１）は網終端装置の遷移状態を表す番号である。なお、図５中「フラグ値＝＊」はフラグ値が遷移前の値を保持することを表す。例えば「状態１−４」から「状態１−２」に遷移した場合、「状態１−２」でのフラグ値は"１"である。なお、網終端装置Ｌの「状態１−１」はパワーオンリセット直後の状態であり、「発信信号"ＯＦＦ"」、「切替信号"ＯＦＦ"」、「ＮＴ機能部"停止"」の他、「正極性検出信号"ＯＦＦ"」、「反転極性検出信号"ＯＦＦ"」、「タイマＴ１"停止"」、「フラグ値"０"」となる。
【００４６】
［ノードシステムＢによる発信起動］
以上のシステム構成の基で、本例の動作ついて説明するが、着信起動については従来技術の網終端装置Ｌと同様なので説明を省略し、本発明のノードシステムＢによる発信起動の動作について説明する。
【００４７】
（１）図６は、第１の実施の形態における網終端装置のノードシステムＢ系での発信起動時の動作を示す図であり、Ｖ点信号ＦＥ１（着信起動要求）、ＦＥ２（発信起動要求）、ＦＥ３（Ｕ点レイヤ１起動完了信号）の状態、加入者線路３４の極性及び電流値、網終端装置１０の正極性検出信号、反転極性検出信号、発信信号、切替信号、同期状態信号ＤＦＳの各状態を示している。なお、図６中の状態遷移番号（１−１〜１−５、及び２−１）は、図５に示した網終端装置１０の遷移状態を表す。なお、「状態１−３」に至るまでの過程は従来技術の網終端装置Ｌの場合と同じであるため省略する。
【００４８】
（２）「状態１−３」に遷移するとタイマＴ１回路１８はセット条件「（フラグ値＝"０"）×（切替信号"ＯＮ"）×（反転極性検出信号"ＯＦＦ"→"ＯＮ"立ち上がりエッジ検出パルス）」が成立するのでスタートする（時刻ｔ２）。
【００４９】
（３）ＮＴ機能部１１は下り方向（回線終端装置３３→網終端装置１０）の同期が確立すると制御部１３とフラグ回路１７に「同期状態信号ＤＦＳ＝"１"」を送信する（時刻ｔ３）。
【００５０】
（４）網終端装置１０内のＮＴ機能部１１にて、「同期状態信号ＤＦＳ＝"１"」が成立後、約１００ｍｓ程度で上り方向（網終端装置１０→回線終端装置３３方向）の同期が入りＵ点のレイヤ１起動が完了する。
【００５１】
（５）回線終端装置３３は、Ｕ点レイヤ１起動が完了すると、「Ｕ点レイヤ１起動完了」を示す「Ｖ点インタフェース信号ＦＥ３（Ｕ点レイヤ１起動完了信号）」をノードシステムＢに送信する（時刻ｔ４）。また、このとき加入者線路Ｌ１−Ｌ２には抵抗ＲＤ１を通じて電流が流れているので、回線終端装置３３はそれを示す「Ｖ点インタフェース信号ＦＥ２（発信起動要求信号）」のノードシステムＢへの送信を維持している。
【００５２】
（６）ノードシステムＢは、「ＦＥ３（Ｕ点レイヤ１起動完了信号）」と「ＦＥ２（発信起動要求信号）」を受信すると、回線終端装置３３に「ＦＥ１（着信起動要求信号）」を送信する。
【００５３】
（７）また、網終端装置１０内のタイマＴ１回路１８はタイマ内の計時カウンタ満了時、「タイマＴ１停止信号」を制御部１３及びフラグ回路１７に送信する。このときタイマＴ１回路１８のリセット条件「（フラグ値＝"０"）×計時カウンタ満了立ち上がりエッジ検出パルス」が成立するので、タイマＴ１回路１８は停止する。
【００５４】
（８）制御部１３は「（フラグ値＝"０"）×（同期状態信号ＤＦＳ＝"１"）×（タイマＴ１"停止"）」が成立するので「切替信号"ＯＦＦ"」とし、網終端装置１０を「状態１−３」から「状態１−４」に遷移させる（時刻ｔ５）。網終端装置が「状態１−３」に遷移してからＵ点レイヤ１の起動が完了するまでの時間は約２００ｍｓであるので（時刻ｔ２〜ｔ４）、網終端装置が「状態１−４」に遷移する以前に回線終端装置３３はＦＥ１（着信起動要求）を受信している。
【００５５】
（９）網終端装置１０が、「状態１−４」へ遷移すると、フラグ回路１７は「（切替信号"ＯＦＦ"）×（同期状態信号ＤＦＳ＝"１"）×（タイマＴ１"停止"）」が成立するのでフラグ値を"１"とする。
【００５６】
（１０）タイマＴ１回路１８は「フラグ値の"０"→"１"立ち上がりエッジ検出パルス」を検出しタイマＴ１回路１８を再スタートさせる。このとき、抵抗器ＲＤ１は「切替信号"ＯＦＦ"」により加入者線路３４から切り離されているので加入者線路３４に電流は流れない。しかし回線終端装置３３は「ＦＥ１（着信起動要求信号）」を受信しているので電流Ｉ２が検出できなくても、反転極性（Ｌ１＜Ｌ２）を維持する。従ってＵ点レイヤ１の起動は維持され、タイマＴ１回路１８の計時カウンタ満了時に「同期状態信号ＤＦＳ＝"１"」は維持される。
【００５７】
（１１）従ってタイマＴ１回路１８の計時カウンタ満了時、「タイマＴ１"停止"信号」を制御部１３及びフラグ回路１７に送信すると、制御部１３は「（同期状態信号ＤＦＳ＝"１"）×（タイマＴ１"停止"）」を認識し、網終端装置を「状態１−４」から「状態１−５」に遷移させる（時刻ｔ６）。このときフラグ回路１７は「（同期状態信号ＤＦＳ＝"１"）×（タイマＴ１"停止"）」により「フラグ値＝"０"」とする。このときタイマＴ１回路リセット条件「（フラグ値＝"０"）×計時カウンタ満了立ち上がりエッジ検出パルス」が成立するので、タイマＴ１回路１８は"停止"する。
【００５８】
（１２）最終的に網終端装置１０は「状態１−５」にて回線終端装置３３と通信を行う。「状態１−５」では「切替信号"ＯＦＦ"」であるので、加入者線路Ｌ１−Ｌ２には電流は流れない。従って最終的にノードシステムＢでの発信起動にて着信起動時と同等の電力削減効果が得られることになる。
【００５９】
（１３）次に"停止"について説明する。停止時はノードシステム３１より停止要求信号である「Ｖ点インタフェース信号ＦＥ５（停止要求信号）」が回線終端装置３３に送信される（図示せず）。回線終端装置３３は「ＦＥ５（停止要求信号）」を受信すると、加入者線極性を反転極性（Ｌ１＜Ｌ２）から正極性（Ｌ１＞Ｌ２）する。このとき網終端装置の制御部１３は「正極性検出信号"ＯＮ"」を認識し網終端装置１０を「状態１−５」から「状態１−１」に遷移させ"停止状態"となる。
【００６０】
［ノードシステムＡによる発信起動］
次に、第１の実施の形態の網終端装置におけるノードシステムＡでの発信起動の動作について説明する。
【００６１】
図７は、第１の実施の形態おける網終端装置のノードシステムＡ系での発信起動時の動作を示す図であり、Ｖ点信号ＦＥ１（着信起動要求信号）、ＦＥ２（発信起動要求信号）、ＦＥ３（Ｕ点レイヤ１起動完了信号）の状態、加入者線路３４の極性及び電流値、網終端装置の正極性検出信号、反転極性検出信号、発信信号、切替信号、同期状態信号ＤＦＳの各状態を示している。なお、図７中の状態遷移番号（１−１〜１−５、２−１）は図５に示した網終端装置１０の遷移状態を表す。
【００６２】
（１）「状態１−３」に至るまでの過程は、従来技術の網終端装置Ｌの場合と同様であるので省略する。
【００６３】
（２）「状態１−３」に遷移すると、タイマＴ１回路１８はセット条件が成立するのでスタートする（時刻ｔ２）。「状態１−３」にてレイヤ１起動手順が進行する。
【００６４】
（３）ＮＴ機能部１１は下り方向（回線終端装置３３→網終端装置１０）の同期が確立すると、フラグ回路１７に「同期状態信号ＤＦＳ＝"１"」を送信する（時刻ｔ３）。
【００６５】
（４）網終端装置１０内のＮＴ機能部１１にて、「同期状態信号ＤＦＳ＝"１"」成立後、約１００ｍｓ程度で上り方向（網終端装置１０→回線終端装置３３方向）の同期が入りＵ点のレイヤ１起動が完了する。
【００６６】
（５）回線終端装置３３は、Ｕ点レイヤ１起動が完了すると、Ｕ点レイヤ１起動完了を示すＶ点インタフェース信号ＦＥ３（Ｕ点レイヤ１起動完了信号）をノードシステムＡに送信する。また、このとき加入者線路Ｌ１−Ｌ２には抵抗器ＲＤ１を通じて電流が流れているので、回線終端装置３３はそれを示す「Ｖ点インタフェース信号ＦＥ２（発信起動要求信号）」のノードシステムＡへの送信を維持している。
【００６７】
（６）ノードシステムＡは、「ＦＥ３（Ｕ点レイヤ１起動完了信号）」と「ＦＥ２（発信起動要求信号）」を受信しても、回線終端装置３３に「ＦＥ１（着信起動要求信号）」を送信しない。
【００６８】
（７）網終端装置１０内のタイマＴ１回路１８内の計時カウンタ満了時、「タイマＴ１停止信号」を制御部１３及びフラグ回路１７に送信する。制御部１３は「（フラグ値＝"０"）×（同期状態信号ＤＦＳ＝"１"）」が成立すると「切替信号"ＯＦＦ"」とし、網終端装置を「状態１−３」から「状態１−４」に遷移させる（時刻ｔ４）。
【００６９】
（８）網終端装置は「状態１−４」へ遷移すると、フラグ回路１７は「（切替信号"ＯＦＦ"）×（同期状態信号ＤＦＳ＝"１"）×（タイマＴ１"停止"）」が成立するのでフラグ値を"１"とする。タイマＴ１回路１８は「フラグ値の"０"→"１"立ち上がりエッジ検出パルス」を検出しタイマを再スタートさせる。このとき、「ＲＤ１は切替信号"ＯＦＦ"」により加入者線路３４から切り離されているので加入者線路３４に電流は流れない。
【００７０】
（９）回線終端装置３３は、「ＦＥ１（着信起動要求信号）」を受信していないので電流Ｉ２が検出できないことを認識すると、加入者線極性を反転極性（Ｌ１＜Ｌ２）から正極性（Ｌ１＞Ｌ２）にする。網終端装置１０内の制御部１３は「正極性検出信号"ＯＮ"」を認識すると「切替信号"ＯＮ"」とし、網終端装置を「状態１−４」から「状態１−２」に遷移させる（時刻ｔ５）。「状態１−２」に遷移すると、制御部１３は「切替信号"ＯＮ"」とし、ＮＴ機能部１１を"停止"する。従って、レイヤ１起動手順はリセットされる。このとき加入者線Ｌ１−Ｌ２に抵抗器Ｒ１を通じて電流Ｉ２が流れる。
【００７１】
（１０）回線終端装置３３は電流Ｉ２を検出し、加入者線極性を正極性（Ｌ１＞Ｌ２）から反転極性（Ｌ１＜Ｌ２）にする。また、回線終端装置３３は電流Ｉ２を検出するとノードシステム３１に「Ｖ点インタフェース信号ＦＥ２」を送信する。
【００７２】
（１１）加入者線極性が反転極性（Ｌ１＜Ｌ２）となると、網終端装置１０の制御部１３は「反転極性検出信号"ＯＮ"」を認識し、網終端装置１０を「状態１−２」から「状態１−３」に遷移させる（時刻ｔ６）。このとき加入者線路Ｌ１−Ｌ２には抵抗ＲＤ１を通じて電流Ｉ２が流れる。このとき「フラグ値＝"１"」であるのでタイマＴ１回路１８はスタートしない。「状態１−３」に遷移すると網終端装置１０内のＮＴ機能部１１が起動する。
【００７３】
（１２）回線終端装置３３は電流Ｉ２を検出し、「Ｖ点インタフェース信号ＦＥ２」のノードシステム３１ヘの送信を継続する。回線終端装置３３は電流Ｉ２が検出されている場合は、反転極性（Ｌ１＜Ｌ２）を維持するので、発信起動によるＵ点レイヤ１起動手順が改めて進行する。
【００７４】
（１３）これ以降の動作は、従来技術の網終端装置Ｌと同様である。もはやフラグ値は「パワーオンリセット」または「（正極性検出信号"ＯＦＦ"）×（反転極性検出信号"ＯＦＦ"）」以外ではリセットされない。パワーオンリセットはユーザーによる電源の"ＯＦＦ"／"ＯＮ"、（正極性検出信号"ＯＦＦ"）×（反転極性検出信号"ＯＦＦ"）はユーザーによる網終端装置への加入者線入力の抜き差し、局側でのノードシステム３１の変更（例Ａ→Ｂ）等、通常通信時には起こりえないケースである。
【００７５】
従って、通常通信では、ノードシステムＡの系において、本例の網終端装置は、従来の網終端装置Ｌ１００と同様の動作を行う。
【００７６】
［第２の実施の形態］
図８は、本発明の第２の実施の形態におけるＩＳＤＮディジタル通信方式のシステム構成を示す図であり、システムは局ビル側から下り方向にノードシステム４１、回線終端装置４３、加入者線路４４、網終端装置２０の順に接続される。また、ノードシステム４１と回線終端装置４３は、Ｖ点インターフェース４２により接続される。回線終端装置４３と網終端装置２０は加入者線路４４を介して、ＴＴＣ標準で規定されるＵ点インターフェース４５により接続されている。
【００７７】
なお、前述した如く、ノードシステム４１には、「ノードシステムＡ」と「ノードシステムＢ」の２種類が存在する。以下、ノードシステムと呼ぶ場合は「ノードシステムＡ」と「ノードシステムＢ」の両方を指すものとする。
【００７８】
また、図９は、第２の実施の形態における網終端装置のブロック構成を示す図であり、網終端装置２０は、ＮＴ機能部２１、発信回路２２、制御部２３、正極性検出部２４、反転極性検出部２５、切替回路２６、フラグ回路２７、タイマＴ１回路２８により構成される。図９に示す網終端装置の構成は、図２に示す第１の実施の形態の網終端装置の構成とほぼ同じであるが、相違点はＮＴ機能部２１から上下方向（回線終端装置４３→網終端装置２０方向、及び網終端装置２０→回線終端装置４３方向）の同期状態を示す信号ＯＦＳが出力されていることである。第１の実施の形態では、下り方向（回線終端装置→網終端装置方向）の同期状態を示す信号ＤＦＳが出力されている。
【００７９】
また、図１０は、第２の実施の形態におけるタイマＴ１回路２８の内部構成例を示す図であり、
・タイマＴ１回路２８のスタート条件（セット条件）は、
「（フラグ値＝"０"）×（切替信号"ＯＮ"）×
×（反転極性検出信号"ＯＦＦ"→"ＯＮ"立ち上がりエッジ検出パルス）」
または、
「フラグ値の"０"→"１"立ち上がりエッジ検出パルス」である。
・タイマＴ１回路２８のストップ条件（リセット条件）は、
「パワーオンリセット」
または、
「（フラグ値＝"１"）×（正極性検出信号"ＯＮ"）」
または、
「（フラグ値＝"０"）×計時カウンタ満了（３００ｍｓ程度）立ち上がりエッジ検出」である。
・また、タイマＴ１回路２８は「計時カウンタ満了（３００ｍｓ程度）立ち上がりエッジ検出パルス」を論理「タイマＴ１回路"停止"」として出力する。
【００８０】
また、図１１は、第２の実施の形態におけるフラグ回路の内部構成例を示す図であり、
・フラグ回路２７のフラグ値セット条件（"０"→"１"条件）は、
「（切替信号"ＯＦＦ"）×（同期状態信号ＯＦＳ＝"１"）×（タイマＴ１回路"停止"）」である。
【００８１】
・フラグ回路２７のフラグ値リセット条件（"１"→"０"条件）は、
「パワーオンリセット」
または、
「（同期状態信号ＯＦＳ＝"１"）×（タイマＴ１回路"停止"）」
または、
「（正極性検出信号"ＯＦＦ"）×（反転極性検出信号"ＯＦＦ"）」
である。
【００８２】
なお、図１０中の立ち上がりエッジ検出部は微分回路であり「論理"０"→"１"」のステート変化を「"０"→"１"（５０ｍｓ程度）→"０"」のパルス的な論理に変換する。
【００８３】
また、図９に示すブロック回路において、
・ＮＴ機能部２１は、ＴＴＣ標準に規定されるパルスを認識し、回線終端装置４３との通信を行う機能を有する。ＮＴ機能部２１は上下方向（「回線終端装置４３→網終端装置２０方向」及び「網終端装置２０→回線終端装置４３」）の同期状態を示す「信号同期状態信号ＯＦＳ＝"１"」を出力する。「同期状態信号ＯＦＳ＝"１"」は「Ｕ点のレイヤ１起動が完了した」ことを意味する。また、ＮＴ機能部２１は制御部２３及びフラグ回路２７に接続される。
・発信回路２２は直流終端抵抗器Ｒ１、ダイオードＤ１、発信ＳＷで構成される。
・発信ＳＷは「発信信号"ＯＮ"で"ＯＮ"」、「発信信号"ＯＦＦ"で"ＯＦＦ"」となる。
・また、正極性検出部２４の直流入力抵抗値は、高抵抗（ハイ・インピーダンス）とし、反転極性検出部２５の直流入力抵抗値も高抵抗（ハイ・インピーダンス）となる。
・切替回路２６は直流終端抵抗器ＲＤ１、ダイオードＤ２、切替ＳＷにより構成される。切替ＳＷは「切替信号"ＯＮ"で"ＯＮ"」、「切替信号"ＯＦＦ"で"ＯＦＦ"」とする。
・タイマＴ１回路２８は、制御部２３、フラグ回路２７、正極性検出部２４及び反転極性検出部２５に接続される。
・フラグ回路２７は、制御部２３、クイマＴ１回路２８、正極性検出部２４及び反転極性検出部２５に接続される。
【００８４】
また、図１２は、第２の実施の形態における網終端装置の状態遷移を示す図であり、図１２中の四角枠が網終端装置２０内の各部の遷移状態を表し、四角枠左上の数値（１−１〜１−５、及び２−１）は網終端装置２０の遷移状態を表す番号である。なお、図１２中の「フラグ値＝＊」はフラグ値が遷移前の値を保持することを表す。例えば「状態１−４」から「状態１−２」に遷移した場合、「状態１−２」でのフラグ値は"１"である。
【００８５】
また、網終端装置２０の「状態１−１」はパワーオンリセット直後の状態であり、「発信信号"ＯＦＦ"」、「切替信号"ＯＦＦ"」、「ＮＴ機能部"停止"」の他、「正極性検出信号"ＯＦＦ"」、「反転極性検出信号"ＯＦＦ"」、「タイマＴ１回路"停止"」、「フラグ値"０"」となる。
【００８６】
［ノードシステムＢによる発信起動］
以上説明した網終端装置２０の構成の基で、発信起動の動作について説明する。なお、着信起動については従来の網終端装置Ｌと同様なので説明を省略する。最初に、ノードシステムＢでの発信起動について説明する。
【００８７】
（１）図１３は、第２の実施の形態における網終端装置のノードシステムＢ系での発信起動時の動作を示す図であり、Ｖ点信号ＦＥ１（着信起動要求信号）、ＦＥ２（発信起動要求信号）、ＦＥ３（Ｕ点レイヤ１起動完了信号）の状態、加入者線路４４の極性及び電流値、網終端装置２０の正極性検出信号、反転極性検出信号、発信信号、切替信号、同期状態信号ＯＦＳの各状態を示している。なお、図１３中の状態遷移番号（１−１〜１−５、及び２−１）は、図１２に示した網終端装置２０の状態を表す。なお、「状態１−３」に至るまでの過程は、従来技術の網終端装置Ｌ（図１５）と同様であるので省略する。
【００８８】
（２）「状態１−３」に遷移すると、タイマＴ１回路２８では、セット条件「（フラグ値＝"０"）×（切替信号"ＯＮ"）×（反転極性検出信号"ＯＦＦ"→"ＯＮ"立ち上がりエッジ検出パルス）」が成立するので計時をスタートする（時刻ｔ２）。
【００８９】
（３）ＮＴ機能部２１は、上下方向（「回線終端装置４３→網終端装置２０方向」及び「網終端装置２０→回線終端装置４３」）の同期が確立すると制御部１３とフラグ回路１７に「同期状態信号ＯＦＳ＝"１"」を送信する（時刻ｔ３）。
【００９０】
（４）回線終端装置４３は、Ｕ点レイヤ１起動が完了すると、Ｕ点レイヤ１起動完了を示す「Ｖ点インタフェース信号ＦＥ３（Ｕ点レイヤ１起動完了信号）」をノードシステムＢに送信する（時刻ｔ４）。また、このとき加入者線路Ｌ１−Ｌ２には抵抗ＲＤ１を通じて電流が流れているので、回線終端装置４３はそれを示す「Ｖ点インタフェース信号ＦＥ２（発信起動要求信号）」のノードシステムＢへの送信を維持している。
【００９１】
（５）ノードシステムＢは、「ＦＥ３（Ｕ点レイヤ１起動完了信号）」と「ＦＥ２（発信起動要求信号）」を受信すると、回線終端装置４３に「ＦＥ１（着信起動要求）」を送信する（時刻ｔ４）。
【００９２】
（６）網終端装置２０内のタイマＴ１回路２８が計時カウンタ満了時、「タイマＴ１回路"停止信号"」を制御部２３及びフラグ回路２７に送信する。このときタイマＴ１回路はリセット条件「（フラグ値＝"０"）×計時カウンタ満了立ち上がりエッジ検出パルス」が成立するので"停止"する。
【００９３】
（７）制御部２３は「（フラグ値＝"０"）×（ＯＦＳ＝"１"）×（タイマＴ１回路"停止"）」が成立するので「切替信号"ＯＦＦ"」とし網終端装置２０を「状態１−３」から「状態１−４」に遷移させる（時刻ｔ４）。
【００９４】
（８）網終端装置２０が「状態１−３」に遷移してから「同期状態信号ＯＦＳ＝"１"」となるまでの時間は約２００ｍｓであるので、網終端装置２０が「状態１−４」に遷移する以前に、回線終端装置４３はＦＥ１（着信起動要求）を受信している。
【００９５】
（９）網終端装置２０は「状態１−４」へ遷移すると、フラグ回路２７は「（切替信号"ＯＦＦ"）×（ＯＦＳ＝"１"）×（タイマＴ１回路"停止"）」が成立するので、フラグ値を"１"とする。タイマＴ１回路２８は「フラグ値の"０"→"１"立ち上がりエッジ検出パルス」を検出しタイマを再スタートさせる。このとき、抵抗器ＲＤ１は切替信号"ＯＦＦ"により加入者線路４４から切り離されているので、加入者線路４４に電流は流れない。しかし回線終端装置４３はＦＥ１（着信起動要求）を受信しているので電流Ｉ２が検出できなくても、反転極性（Ｌ１＜Ｌ２）を維持する。従ってＵ点レイヤ１の起動は維持され、タイマＴ１回路２８の計時カウンタ満了時に「同期状態信号ＯＦＳ＝"１"」は維持される。
【００９６】
（１０）従ってタイマＴ１回路２８が計時カウンタ満了時、「タイマＴ１回路"停止信号"」を制御部１３及びフラグ回路２７に送信すると  制御部１３は「（同期状態信号ＯＦＳ＝"１"）×（タイマＴ１回路"停止"）」を認識し、網終端装置を「状態１−４」から「状態１−５」に遷移させる（時刻ｔ５）。このときフラグ回路１７は「（ＯＦＳ＝"１"）×（タイマＴ１回路２８"停止"）」により「フラグ値＝"０"」とする。このときタイマＴ１回路２８はリセット条件「（フラグ値＝"０"）×（計時カウンタ満了立ち上がりエッジ検出パルス）」が成立するので停止する。
【００９７】
（１１）最終的に網終端装置は、「状態１−５」にて回線終端装置４３と通信を行う。「状態１−５」では「切替信号"ＯＦＦ"」であるので加入者線路Ｌ１−Ｌ２には電流は流れない。従つて、最終的にノードシステムＢでの発信起動にて着信起動時と同等の電力削減効果が得られることになる。
【００９８】
（１２）次に"通信停止"について説明する。通信の停止時はノードシステム４１より停止要求信号である「Ｖ点インタフェース信号ＦＥ５（停止要求信号）」が回線終端装置４３に送信される（図示せず）。回線終端装置４３は「ＦＥ５（停止要求信号）」を受信すると、加入者線極性を反転極性（Ｌ１＜Ｌ２）から正極性（Ｌ１＞Ｌ２）にする。このとき網終端装置２０の制御部１３は「正極性検出信号"ＯＮ"」を認識し、網終端装置２０を「状態１−５」から「状態１−１」に遷移させ"停止"状態となる（時刻ｔ６）。
【００９９】
［ノードシステムＡによる発信起動］
次に、本例の網終端装置２０におけるノードシステムＡでの発信起動の動作について説明する。
【０１００】
図１４は、第２の実施の形態における網終端装置のノードシステムＡ系での発信起動時の動作を示す図であり、Ｖ点信号ＦＥ１（着信起動要求）、ＦＥ２（発信起動要求信号）、ＦＥ３（Ｕ点レイヤ１起動完了信号）の状態、加入者線路４４の極性及び電流値、網終端装置２０の正極性検出信号、反転極性検出信号、発信信号、切替信号、同期状態信号ＯＦＳの各状態を示している。なお、図１４中の状態遷移番号（１−１〜１−５、２−１）は、図１２に示した網終端装置の遷移状態を表す。
【０１０１】
（１）「状態１−３」に至るまでの過程は、従来技術の網終端装置Ｌと同様であるので省略する。
【０１０２】
（２）「状態１−３」に遷移すると、タイマＴ１回路２８はセット条件「（フラグ値＝"０"）×（切替信号"ＯＮ"）×（反転極性検出信号"ＯＦＦ"→"ＯＮ"立ち上がりエッジ検出パルス）」が成立するのでスタートする（時刻ｔ２）。また、「状態１−３」にてレイヤ１起動手順が進行する。
【０１０３】
（３）ＮＴ機能部２１は、上下方向（「回線終端装置４３→網終端装置２０」及び「網終端装置２０→回線終端装置４３」）の同期が確立すると制御部２３とフラグ回路２７に「同期状態信号ＯＦＳ＝"１"」を送信する（時刻ｔ３）。
【０１０４】
（４）回線終端装置４３は、Ｕ点レイヤ１起動が完了すると、Ｕ点レイヤ１起動完了を示す「Ｖ点インタフェース信号ＦＥ３（Ｕ点レイヤ１起動完了信号）」をノードシステムＡに送信する。また、このとき加入者線路Ｌ１−Ｌ２には切替回路２６内の抵抗器ＲＤ１を通じて電流が流れているので、回線終端装置４３はそれを示す「Ｖ点インタフェース信号ＦＥ２（発信起動要求信号）」のノードシステムＡへの送信を維持している。
【０１０５】
（５）また、ノードシステムＡは、「ＦＥ３（Ｕ点レイヤ１起動完了信号）」と「ＦＥ２（発信起動要求信号）」を受信しても回線終端装置４３に「ＦＥ１（着信起動要求信号）」を送信しない。
【０１０６】
（６）網終端装置２０内のタイマＴ１回路２８は計時カウンタ満了時、「タイマＴ１回路"停止信号"」を制御部２３及びフラグ回路２７に送信する。制御部２３は「（フラグ値＝"０"）×（同期状態信号ＯＦＳ＝"１"）」が成立すると「切替信号"ＯＦＦ"」とし網終端装置を「状態１−３」から「状態１−４」に遷移させる（時刻ｔ４）。
【０１０７】
（７）網終端装置２０は「状態１−４」へ遷移すると、フラグ回路２７は「（切替信号"ＯＦＦ"）×（ＯＦＳ＝"１"）×（タイマＴ１回路"停止"）」が成立するので、フラグ値を"１"とする。タイマＴ１回路２８は「フラグ値の"０"→"１"立ち上がりエッジ検出パルス」を検出し、タイマＴ１回路２８を再スタートさせる。このとき、抵抗器ＲＤ１は「切替信号"ＯＦＦ"」により加入者線路４４から切り離されているので加入者線路４４に電流は流れない。
【０１０８】
（８）回線終端装置４３は「ＦＥ１（着信起動要求）」を受信していないので電流Ｉ２が検出できないことを認識すると、加入者線極性を反転極性（Ｌ１＜Ｌ２）から正極性（Ｌ１＞Ｌ２）にする。
【０１０９】
（９）網終端装置内制御部２３は「正極性検出信号"ＯＮ"」を認識すると、「切替信号"ＯＮ"」とし、網終端装置２０を「状態１−４」から「状態１−２」に遷移させる（時刻ｔ５）。「状態１−２」に遷移すると、制御部は「切替信号"ＯＮ"」とし、ＮＴ機能部２１を"停止"する。従って、レイヤ１起動手順はリセットされる。このとき加入者線Ｌ１−Ｌ２に発信回路２２内の抵抗器Ｒ１を通じて電流Ｉ２が流れる。
【０１１０】
（１０）回線終端装置４３は電流Ｉ２を検出し、加入者線極性を正極性（Ｌ１＞Ｌ２）から反転極性（Ｌ１＜Ｌ２）にする。また、回線終端装置４３は電流Ｉ２を検出すると、ノードシステム４１に「Ｖ点インタフェース信号ＦＥ２（発信起動要求信号）」を送信する。
【０１１１】
（１１）加入者線極性が反転極性（Ｌ１＜Ｌ２）となると網終端装置２０内の制御部２３は「反転極性検出信号"ＯＮ"」を認識し、網終端装置２０を「状態１−２」から「状態１−３」に遷移させる（時刻ｔ６）。このとき加入者線路Ｌ１−Ｌ２には切替回路２６内の抵抗器ＲＤ１を通じて電流Ｉ２が流れる。また、このとき「フラグ値＝"１"」であるのでタイマＴ１回路２８はスタートしない。
【０１１２】
（１２）「状態１−３」に遷移すると網終端装置２０のＮＴ機能部２１が起動する。回線終端装置４３は電流Ｉ２を検出し「Ｖ点インタフェース信号ＦＥ２」のノードシステム４１ヘの送信を継続する。回線終端装置４３は電流Ｉ２が検出されている場合は、反転極性（Ｌ１＜Ｌ２）を維持するので、発信起動によるＵ点レイヤ１起動手順が改めて進行する。
【０１１３】
（１３）これ以降の動作は従来技術の網終端装置Ｌと同様である。もはやフラグ値はパワーオンリセットまたは「（正極性検出信号"ＯＦＦ"）×（反転極性検出信号"ＯＦＦ"）」以外ではリセットされない。パワーオンリセットはユーザーによる電源の"ＯＦＦ"／"ＯＮ"、（正極性検出信号"ＯＦＦ"）×（反転極性検出信号"ＯＦＦ"）はユーザーによる網終端装置への加入者線入力の抜き差し、局側でのノードシステム４１の変更（例Ａ→Ｂ）等、通常通信時には起こりえないケースである。
【０１１４】
（１４）従って、通常通信では、本発明の網終端装置は、ノードシステムＡの系における従来技術の網終端装置Ｌと同様の動作を行う。なお、通信停止時は従来技術の網終端装置Ｌと同様の動作を行うので説明を省略する。
【０１１５】
以上、本発明の実施の形態について説明したが、本発明は、上述の図示例にのみ限定されるものではなく、本発明の要旨を逸脱しない範囲内において種々変更を加え得ることは勿論である。
【０１１６】
また、図２及び図９に示した網終端装置内のフラグ回路、タイマ回路、ＮＴ機能部、及び制御部などの各処理部は専用のハードウエアにより実現されるものであってもよく、また処理部をメモリおよびＣＰＵ（中央処理装置）等の情報処理装置により構成し、この処理部の機能を実現するためのプログラムをコンピュータ読み取り可能な記録媒体に記録して、この記録媒体に記録されたプログラムをコンピュータに読み込ませ、実行することにより本発明の網終端装置の機能を実現する処理を行ってもよい。
【０１１７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハ−ドディスク等の記憶装置のことをいう。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１１８】
【発明の効果】
本発明の網終端装置、網終端装置における消費電力削減方法、記録媒体及びプログラムにおいては、網終端装置からの発信起動時に、Ｕ点インターフェースの同期確立後ある一定時間を経過したときに、反転極性の直流電流を流す抵抗器を加入者線路Ｌ１−Ｌ２から切り離し、切り離し後、ある一定時間内に正極性を（Ｌ１＞Ｌ２）を検出した場合は、抵抗器を切り離す動作を中止し、一方 切り離し後も反転極性（Ｌ１＜Ｌ２）が維持された場合は、ノードシステムＢと判断し、それ以降、反転極性の直流電流を流す抵抗器を加入者線路Ｌ１−Ｌ２から切り離すようにしたので、これにより、網終端装置において、発信起動時にノードシステムＢに接続する場合には、着信起動時と同等の消費電力削減効果を得ることができる。
【０１１９】
また、本発明の網終端装置、網終端装置における消費電力削減方法、記録媒体及びプログラムにおいては、網終端装置の発信起動時に、加入者線路の反転極性検出部からの反転極性検出信号を検出しタイマ回路をスタートさせる。また、タイマ回路の計時終了時に、「"タイマ停止信号"、Ｕ点インターフェースの同期確立信号"１"、フラグ値"０"」を条件として、「切替信号を"ＯＦＦ"、フラグ値""１"」とし、さらにタイマ回路を再スタートさせる。そしてタイマ回路の再スタート後の計時終了時に、「"タイマ停止信号"、Ｕ点インターフェースの同期確立信号"１"、フラグ値"１"」の条件の基に、「タイマ回路の"停止"、フラグ値""０"、切替回路"ＯＦＦ"」の設定を行い、この状態で網終端装置が通信を行うようにしたので、これにより、網終端装置において、発信起動時にノードシステムＢに接続する場合には、着信起動時と同等の消費電力削減効果を得ることができる。
【図面の簡単な説明】
【図１】  本発明の第１の実施形態におけるＩＳＤＮディジタル通信方式のシステム構成を示す図である。
【図２】  第１の実施形態における網終端装置のブロック構成を示す図である。
【図３】  第１の実施形態におけるタイマＴ１回路の内部構成例を示す図である。
【図４】  第１の実施形態におけるフラグ回路の内部構成例を示す図である。
【図５】  第１の実施形態における網終端装置の状態遷移を示す図である。
【図６】  第１の実施形態における網終端装置のノードシステムＢ系での発信起動時の動作を示す図である。
【図７】  第１の実施形態における網終端装置のノードシステムＡ系での発信起動時の動作を示す図である。
【図８】  本発明の第２の実施形態におけるＩＳＤＮディジタル通信方式のシステム構成を示す図である。
【図９】  第２の実施形態における網終端装置のブロック構成を示す図である。
【図１０】  第２の実施形態におけるタイマＴ１回路の内部構成例を示す図である。
【図１１】  第２の実施形態におけるフラグ回路の内部構成例を示す図である。
【図１２】  第２の実施形態における網終端装置の状態遷移を示す図である。
【図１３】  第２の実施形態における網終端装置のノードシステムＢ系での発信起動時の動作を示す図である。
【図１４】  第２の実施形態における網終端装置のノードシステムＡ系での発信起動時の動作を示す図である。
【図１５】  従来技術の網終端装置Ｌのブロック構成図である。
【図１６】  ＩＳＤＮディジタル通信方式のシステム構成を示す図である。
【図１７】  従来技術の網終端装置Ｌにおける状態遷移を示す図である。
【図１８】  従来技術の網終端装置Ｌの着信起動時の動作を示す図である。
【図１９】  従来技術の網終端装置ＬのノードシステムＡ系での発信起動時の動作を示す図である。
【図２０】  従来技術の網終端装置ＬのノードシステムＢ系での発信起動時の動作を示す図である。
【符号の説明】
１０、２０  網終端装置
１１、２１  ＮＴ機能部
１２、２２  発信回路
１３、２３  制御部
１４、２４  正極性検出部
１５、２５  反転極性検出部
１６、２６  切替回路
１７、２７  フラグ回路
１８、２８  タイマＴ１回路
３１、４１  ノードシステム
３２、４２  Ｖ点インターフェース
３３、４３  回線終端装置
３４、４４  加入者線路
３５、４５  Ｕ点インターフェース
【図１】
0003730146.tif 000002
【図２】
0003730146.tif 000003
【図３】
0003730146.tif 000004
【図４】
0003730146.tif 000005
【図５】
0003730146.tif 000006
【図６】
0003730146.tif 000007
【図７】
0003730146.tif 000008
【図８】
0003730146.tif 000009
【図９】
0003730146.tif 000010
【図１０】
0003730146.tif 000011
【図１１】
0003730146.tif 000012
【図１２】
0003730146.tif 000013
【図１３】
0003730146.tif 000014
【図１４】
0003730146.tif 000015
【図１５】
0003730146.tif 000016
【図１６】
0003730146.tif 000017
【図１７】
0003730146.tif 000018
【図１８】
0003730146.tif 000019
【図１９】
0003730146.tif 000020
【図２０】
0003730146.tif 000021